(57)【要約】【課題】今までの遊技島単位の空調システムにおいては遊技場特有の遊技機等から発生する熱の有効的な活用及び処理がなされてない点である。【解決手段】遊技島を備えた遊技場の空調システムにおいて、空調用の空気を前記遊技島内を経由して取り込むか、遊技島外から直接取り込むかを選択可能な入口切替手段を設け、空調後の空気を前記遊技場内かつ遊技島外へ吹き出すことを特徴とした遊技場の空調システムである。空調機に遊技島内を経由した加熱された空気を取り込むか若しくは遊技島外から直接取り込むかを選択できるので、空調機の負荷が軽くなる方を選択することにより、空調機の経済的な運転と共に省エネが図れる。【選択図】図２
2013192655.tif 000002
【特許請求の範囲】
【請求項１】
遊技島を備えた遊技場の空調システムにおいて、空調用の空気を前記遊技島内を経由して取り込むか、遊技島外から直接取り込むかを選択可能な入口切替手段を設け、空調後の空気を前記遊技場内かつ遊技島外へ吹き出すことを特徴とした遊技場の空調システム。
【請求項２】
暖房時には空調用の空気を遊技島内を経由して取り込み、冷房時には遊技島外から直接取り込むことを特徴とした請求項１に記載の遊技場の空調システム。
【請求項３】
空気を流し遊技島内の熱の利用を目的とする遊技島の構造において、前記遊技島内上部開口部は無孔板の天板で覆い、前記遊技島の一端の側板に少なくとも１つの穴を設け、この穴を遊技島外の空気を導入する空気導入口とし、前記遊技島の他端近傍の天板に穴を設け、この穴を空気導出口とすることを特徴とした遊技島の構造。
【請求項４】
前記遊技島の一端の側板の空気導入口から遊技島外の空気を導入するように換気扇を前記側板に取り付けることを特徴とした請求項３に記載の遊技島の構造。
【請求項５】
遊技島の構造を請求項３若しくは４に記載の遊技島の構造とすることを特徴とした請求項１又は２に記載の遊技場の空調システム。
【請求項６】
遊技島を備えた遊技場の空調システムにおいて、前記遊技島の構造を請求項３若しくは４とし、前記遊技島の天板上部に第１の入口と第２の入口とを選択可能な入口切替手段を設置し、この入口切替手段の前記第１の入口は前記天板の空気導出口と連通し、前記第２の入口は遊技島外と連通し、前記入口切替手段の出口は空調機の入口と連通し、この空調機の吐出口は前記遊技島の遊技機列下方に施設した吐出しダクトと連通し、この吐出しダクトに吹き出し口を設けるか若しくは各遊技機下方に前記吐出しダクトに連通した吹き出し口を設けることを特徴とした遊技場の空調システム。
【請求項７】
遊技島を備えた遊技場の空調システムにおいて、空調用の空気を前記遊技島内を経由して取り込むか、遊技島外から直接取り込むかを選択可能であって、更に遊技島外から直接取り込む場合には前記遊技島内を経由する空気を前記遊技場外に排出可能とする入出口切替手段を設け、空調後の空気を前記遊技場内かつ遊技島外へ吹き出すことを特徴とした遊技場の空調システム。
【請求項８】
暖房時には空調用空気を遊技島内を経由して取り込み、冷房時には遊技島外から直接取り込むことを特徴とした請求項７に記載の遊技場の空調システム。
【請求項９】
遊技島の構造を請求項３若しくは４の遊技島の構造とすることを特徴とした請求項７又は８に記載の遊技場の空調システム。
【請求項１０】
遊技島を備えた遊技場の空調システムにおいて、前記遊技島の構造を請求項４とし、前記遊技島の天板の上部に第１の入口と第２の入口との２か所の入口と第１の出口と第２の出口との２か所の出口を備えた入出口切替手段を設置する。この入出口切替手段は空調空気の取り入れを前記第１の入口にするか前記第２の入口にするかを選択可能であって、更に前記第２の入口を選択した場合には前記第１の入口は前記第２の出口と連通するものであり、前記入出口切替手段の前記第１の入口は前記天板の空気導出口と連通し、前記第２の入口は遊技島外と連通し、前記入出口切替手段の前記第１の出口は空調機の入口と連通し、前記第２の出口は遊技場外と連通し、前記空調機の吐出口は前記遊技島の遊技機列下方に施設した吐出しダクトと連通し、この吐出しダクトに吹き出し口を設けるか若しくは前記各遊技機下方に前記吐出しダクトに連通した吹き出し口を設けることを特徴とした遊技場の空調システム。
【請求項１１】
前記吐出しダクト内部に長手方向に複数の切欠き穴を開けたパイプを施設し、前記吐出しダクトは前記複数の切欠き穴を介し前記空調機の吐出口と連通したことを特徴とする請求項６又は１０に記載の遊技場の空調システム。
【請求項１２】
前記遊技機下方の吹き出し口にシャッターを取り付けたことを特徴とする請求項６、１０又は１１に記載の遊技場の空調システム。
【発明の詳細な説明】
【技術分野】
【０００１】
本発明は、省エネに資する遊技場の空調システムに関するものである。
【背景技術】
【０００２】
遊技場の空調システムとして、遊技島毎に空調機を設置してエリア単位の空調を行うことで省エネを達成する空調システムがある。この空調システムとして特開平５−１５７２６８号公報及び特開２０００−２４２９１号公報がある。特開平５−１５７２６８号公報は遊戯機器の架台内部に空調機を設けたものである。特開２０００−２４２９１号公報は図１において遊技島1の上部に施設した送気用ダクト２の両側面に形成されたエアー吹き出し口３から吹き出されたエアーは遊技島1下部に施設された吸気用ダクト４の側面に形成された吸い込み口５に吸引されエアーの循環Ｎが形成されるとしている。また、特開２００２−１２６３２３号公報は遊技場内の島周囲の汚れた空気を吸い込み、空気浄化装置で浄化し、遊技場の場内温度と屋外温度を比較し、浄化後の空気を屋内に排出するか屋外に排出するか熱管理上有利な選択を行うとしている。
【先行技術文献】
【特許文献】
【０００３】
【特許文献１】特開平５−１５７２６８号公報
【特許文献２】特開２０００−２４２９１号公報
【特許文献３】特開２００２−１２６３２３号公報
【発明の概要】
【発明が解決しようとする課題】
【０００４】
遊技機のなかでパチンコ機の消費電力は一台当たり約３００Ｗと言われている。遊技島には一列にパチンコ機を２０台程度並べ、パチンコ機の裏面を内側にして両側に並べる通常の遊技島（両島）ではパチンコ機４０台程度で構成している。更にパチンコ玉における結露を防止するためのヒータ等の熱源を備えている場合もある。解決しようとする課題は、今までの遊技島単位の空調システムにおいては前記遊技場特有の遊技機等から発生する熱は単に遊技島上部の天板を有孔板等にして逃がしており、この熱の有効的な活用及び処理がなされてない点である。
【０００５】
特開２００２−１２６３２３号公報においても、遊技場の場内温度と屋外温度を比較して熱管理をしているので、直接的に遊技島内の熱源の熱の有効的な活用及び処理はなされてない。また、前記公報には、汚れた空気を遊技機の周囲の隙間から遊技島内に吸引するとしているが、長期にこれを行うと遊技島内にタバコのヤニ等が付着し、悪臭も発生するので好ましくない。
【０００６】
また図１は特開２０００−２４２９１号公報の遊技島単位の空調システムである。遊技島に空調装置に接続されたダクトが配設されているが、遊技機等から発生する熱の有効的な活用及び処理がなされていない。
【課題を解決するための手段】
【０００７】
上記の課題を解決するために、請求項１に記載の発明は、遊技島を備えた遊技場の空調システムにおいて、空調用の空気を前記遊技島内を経由して取り込むか、遊技島外から直接取り込むかを選択可能な入口切替手段を設け、空調後の空気を前記遊技場内かつ遊技島外へ吹き出すことを特徴とする。
【０００８】
請求項２に記載の発明は、請求項１に記載の遊技場の空調システムにおいて、暖房時には空調用の空気を遊技島内を経由して取り込み、冷房時には遊技島外から直接取り込むことを特徴とする。
【０００９】
請求項３に記載の発明は、空気を流し遊技島内の熱の利用を目的とする遊技島の構造において、前記遊技島内上部開口部は無孔板の天板で覆い、前記遊技島の一端の側板に少なくとも１つの穴を設け、この穴を遊技島外の空気を導入する空気導入口とし、前記遊技島の他端近傍の天板に穴を設け、この穴を空気導出口とすることを特徴とする。
【００１０】
請求項４に記載の発明は、請求項３に記載の遊技島の構造において、前記遊技島の一端の側板の空気導入口から遊技島外の空気を導入するように換気扇を前記側板に取り付けることを特徴とする。
【００１１】
請求項５に記載の発明は、請求項１又は２に記載の遊技場の空調システムにおいて、遊技島の構造を請求項３若しくは４に記載の遊技島の構造とすることを特徴とする。
【００１２】
請求項６に記載の発明は、遊技島を備えた遊技場の空調システムにおいて、前記遊技島の構造を請求項３若しくは４とし、前記遊技島の天板上部に第１の入口と第２の入口とを選択可能な入口切替手段を設置し、この入口切替手段の前記第１の入口は前記天板の空気導出口と連通し、前記第２の入口は遊技島外と連通し、前記入口切替手段の出口は空調機の入口と連通し、この空調機の吐出口は前記遊技島の遊技機列下方に施設した吐出しダクトと連通し、この吐出しダクトに吹き出し口を設けるか若しくは各遊技機下方に前記吐出しダクトに連通した吹き出し口を設けることを特徴とする。
【００１３】
請求項７に記載の発明は、遊技島を備えた遊技場の空調システムにおいて、空調用の空気を前記遊技島内を経由して取り込むか、遊技島外から直接取り込むかを選択可能であって、更に遊技島外から直接取り込む場合には前記遊技島内を経由する空気を前記遊技場外に排出可能とする入出口切替手段を設け、空調後の空気を前記遊技場内かつ遊技島外へ吹き出すことを特徴とする。
【００１４】
請求項８に記載の発明は、請求項７に記載の遊技場の空調システムにおいて、暖房時には空調用空気を遊技島内を経由して取り込み、冷房時には遊技島外から直接取り込むことを特徴とする。
【００１５】
請求項９に記載の発明は、請求項７又は８に記載の遊技場の空調システムにおいて、遊技島の構造を請求項３若しくは４の遊技島の構造とすることを特徴とする。
【００１６】
請求項１０に記載の発明は、遊技島を備えた遊技場の空調システムにおいて、前記遊技島の構造を請求項４とし、前記遊技島の天板の上部に第１の入口と第２の入口との２か所の入口と第１の出口と第２の出口との２か所の出口を備えた入出口切替手段を設置する。この入出口切替手段は空調空気の取り入れを前記第１の入口にするか前記第２の入口にするかを選択可能であって、更に前記第２の入口を選択した場合には前記第１の入口は前記第２の出口と連通するものであり、前記入出口切替手段の前記第１の入口は前記天板の空気導出口と連通し、前記第２の入口は遊技島外と連通し、前記入出口切替手段の前記第１の出口は空調機の入口と連通し、前記第２の出口は遊技場外と連通し、前記空調機の吐出口は前記遊技島の遊技機列下方に施設した吐出しダクトと連通し、この吐出しダクトに吹き出し口を設けるか若しくは前記各遊技機下方に前記吐出しダクトに連通した吹き出し口を設けることを特徴とする。
【００１７】
請求項１１に記載の発明は、請求項６又は１０に記載の遊技場の空調システムにおいて、前記吐出しダクト内部に長手方向に複数の切欠き穴を開けたパイプを施設し、前記吐出しダクトは前記複数の切欠き穴を介し前記空調機の吐出口と連通したことを特徴とする。
【００１８】
請求項１２に記載の発明は、請求項６、１０又は１１に記載の遊技場の空調システムにおいて、前記遊技機下方の吹き出し口にシャッターを取り付けたことを特徴とする。
【発明の効果】
【００１９】
請求項１の遊技場の空調システムでは、空調用の空気を前記遊技島内を経由して取り込むか、遊技島外から直接取り込むかを選択可能な入口切替手段を設けことにより、空調機の負荷が軽くなる方を選択することができ、前記空調機の経済的な運転と共に空調の省エネが図れる。
【００２０】
請求項２の遊技場の空調システムでは、暖房時には空調用の空気を前記遊技島内を経由して取り込み、冷房時には遊技島外から直接取り込むこととしたことにより、暖房時には遊技島内を経由した加熱された空気を空調機に取り込むので空調機の暖房負荷が減少し省エネが図れる。また冷房時には遊技島外から直接取り込むので遊技島内の加熱された空気により冷房負荷が増加することはない。
【００２１】
請求項３の遊技島の構造では、遊技島内上部開口部を無孔板の天板で覆ったので、遊技島内の熱の放散を防ぐことができ、前記遊技島の一端の側板に少なくとも１つの穴を設け、この穴を遊技島外の空気を導入する空気導入口とし、前記遊技島の他端近傍の天板に穴を設け、この穴を空気導出口としたので、導入した空気は遊技島内の一端の熱源から順次他端の熱源まで移動するので、端から端までのほぼ全ての熱源から熱を吸収することが可能になる。
【００２２】
請求項４の遊技島の構造では、前記空気導入口から遊技島外の空気を導入するように換気扇を前記空気導入口を設けた前記側板に取り付けたので、請求項３の効果に加え、遊技島内をプラス圧にすることができるので各遊技機の周囲の隙間等から遊技客のタバコの煙等の汚れた空気を遊技島内に取り込む恐れが少ない。
【００２３】
請求項５の遊技場の空調システムでは、前記請求項３若しくは４に記載の遊技島の構造の効果と前記請求項１又は２記載の空調システムの効果を合わせて有する。
【００２４】
請求項６の遊技場の空調システムでは、入口切替手段により、前記請求項１若しくは２の効果を生ずる。請求項３若しくは４に記載の遊技島の構造の効果も併せ持つ。また遊技機列下方に施設した吐出しダクトに設けた吹き出し口若しくは各遊技機下方に前記吐出しダクトに連通した吹き出し口から吹き出し空気を遊技機の前面で遊技する遊技客に吹き付けることにより直接的で効率的な空調が達成できる。
【００２５】
請求項７の遊技場の空調システムでは、入出口切替手段を設けたことにより、空調機に遊技島内を経由した加熱された空気を取り込むか若しくは遊技島外から直接取り込むかを選択できる。空調機の負荷が軽くなる方を選択することにより、前記空調機の経済的な運転が達成できる。また遊技島外から直接取り込む場合は冷房時となるがこの場合には遊技島内を経由した加熱された空気を遊技場外に排出することになり、遊技場内の冷房負荷が減少し省エネが図れる。
【００２６】
請求項８の遊技場の空調システムでは、暖房時には空調用空気を前記遊技島内を経由して取り込み、冷房時には遊技島外から直接取り込むこととしたので、暖房時には遊技島内を経由した加熱された空気を空調機に取り込むことにより空調機の暖房負荷が減少し省エネが図れる。また冷房時には遊技島外から直接取り込むが、遊技島内を経由した加熱された空気を遊技場外に排出するので遊技場内の冷房負荷が減少し省エネが図れる。
【００２７】
請求項９の遊技場の空調システムでは、前記請求項３若しくは４に記載の遊技島の構造の効果と前記請求項７又は８記載の空調システムの効果を合わせて有する。
【００２８】
請求項１０の遊技場の空調システムでは、前記請求項４の遊技島の構造の効果と、入出口切替手段により前記請求項７又は８記載の効果を有する。また遊技機列下方に施設した吐出しダクトに設けた吹き出し口若しくは各遊技機下方に設けた前記吐出しダクトに連通した吹き出し口から吹き出し空気を遊技機の前面で遊技する遊技客に吹き付けることにより直接的で効率的な空調が達成できる。
【００２９】
請求項１１の遊技場の空調システムでは、吐出しダクト内部に長手方向に複数の切欠き穴を開けたパイプを施設したことにより、前記吐出しダクト内部の長手方向の圧力変動が緩和され、各遊技機下方の吹き出し口から遊技客に向って吹き出すエアー量の変動が緩和される。
【００３０】
請求項１２の遊技場の空調システムでは、前記遊技機下方の吹き出し口にシャッターを取り付けたことにより各遊技客が自分で吹き出し口の空調風量を調節でき遊技客の快適状態の個人差に対応できる。
【図面の簡単な説明】
【００３１】
【図１】図１は従来例の遊技島の横断面図である。
【図２】図２は実施例1の実施方法を示した説明図である。（実施例1）
【図３】図３は図２のＱ−Ｑ矢視図である。（実施例１）
【図４】図４は図２の入口切替手段部の断面図である。（実施例１、２）
【図５】図５は実施例２の実施方法を示した説明図である。（実施例２）
【図６】図６は図５のＲ−Ｒ矢視図である。（実施例２）
【図７】図７は図５のＸ−Ｘ断面図である。（実施例２）
【図８】図８は実施例３の実施方法を示した説明図である。（実施例３）
【図９】図９は図８のＹ−Ｙ矢視図である。（実施例３）
【図１０】図１０は図８のＺ−Ｚ断面図である。（実施例３）
【図１１】図１１は図８の入出口切替手段部の断面図である。（実施例３）
【図１２】図１２は実施例４の実施方法を示した断面図である。（実施例４）
【発明を実施するための形態】
【００３２】
本発明の実施の形態を以下添付図に基づいて説明する。遊技場には遊技機（パチンコ機やスロットマシンなど）を複数設置するための遊技島１が、間隔を空けて複数設けられている。遊技島１には、両側に遊技機が並べられる両島と片側に遊技機が並べられる片島や壁島がある。また、揚送装置６を遊技島１の中央や端部に設け、遊技に用いられた遊技媒体（遊技球やメダル）を揚送して、各遊技機に補給している遊技島１がある。下記実施例では、遊技機の一例としてパチンコ遊技機Ｐを設置し、揚送装置６を端部に設けた両島の遊技島１を例に説明する。また、以下場合により揚送装置６を除いた遊技機Ｐ設置部を遊技島１とする。尚、図面は符号の向きに見るものとし、説明の中で、上下左右は図面を見る向きによるものとする。
【実施例１】
【００３３】
図２、図３及び図４により実施例１を説明する。パチンコ遊技機Ｐ（以下場合により、単に遊技機Ｐという。）が設置される遊技島１には、遊技球の補給経路（補給樋など）と回収経路（回収樋など）が配設される。そしてパチンコ遊技機Ｐでの遊技に用いられた遊技球は、遊技機Ｐの裏面から排出され、アウトタンク（図示省略）にて計数された後、回収樋（図示省略）を転動し、下部連通路１０を経由して、揚送装置６に供給される。揚送装置６により揚送された遊技球は、上部連通路７を経由して遊技機Ｐの上方に設けられた補給樋８（図７、図１０参照）に流下し、補給シュート（図示省略）等を経由して遊技機Ｐに補給される。尚、本実施例では、遊技島１の遊技機Ｐ設置部と揚送装置６との間（中間部）は、上部及び下部連絡通路７、１０のみで接続され、後述する空気導入口１５、１６のため開放された状態となっている。
【００３４】
パチンコ遊技機Ｐは裏面を内側に向けて遊技島１の両側に設置されている。パチンコ遊技機Ｐの裏面側には各種基板やモータ等が配置され、これらが熱源となっている。尚、パチンコ遊技機Ｐの裏面側は開放されており各種基板やモータ等は遊技島１の内部の空気に直接接している（スロットマシンの場合には各種基板やモータ等の熱源は筐体内部に配置され、裏面側に設けられた排熱口から遊技島１の内部に熱が排出される。）。
【００３５】
この遊技島1の一端の側板（妻板）１１に穴をあけこれらを空気導入口１２、１３とする。また遊技島1の他端の側板（妻板）１４にも穴をあけこれらを空気導入口１５、１６とする。遊技島1の上部の天板１７に穴を開けこれを空気導出口１８とする。天板１７の上に入口切替手段３０を設置する。この入口切替手段３０は第１の入口３１と第２の入口３２とを備え、第１の入口３１は空気導出口１８と連通接合し、第２の入口３２は遊技島１外に開放している。入口切替手段３０の出口３３は空調機５０の入口５１と入口連絡ダクト５２を介し連通している。尚、空調機５０は、所謂室内機であり、室外機は図示省略する。空調機５０の吐出口５３は出口連絡ダクト５４を介し前記パチンコ遊技機Ｐ列下方に設けた吐出しダクト５５と連通している。吐出しダクト５５は露出させた状態で遊技島１に施設されている。この吐出しダクト５５には吹き出し口５６を設けている。尚、本実施例では、遊技島１の端部寄りに空気導出口１８を設けたが、遊技島１の中央（図２の左右方向の中央）に設けても良いし、空気導入口１５、１６を設けずに側板１４に空気導出口１８を設けても良い。また、空調機５０は遊技島１の上部に配置されているが、それに限定されず、例えば遊技島１の側面などでも良い。
【００３６】
入口切替手段３０の構造及び作用を図４により説明する。レバー３４（図２、３参照）と回動軸３５とは固定され、この回動軸３５と羽根３６とは固定されている。レバー３４を回動操作することにより、回動軸３５及び羽根３６を回動させ、この羽根３６を第２の入口３２を構成する当て板３７、３８に当接させる。この状態を選択すると、第２の入口３２を塞ぎ、第１の入口３１を開くことになる。次にレバー３４を回動操作することにより、羽根３６を第１の入口３１を構成する当て板３９，４０に当接させる状態を選択すると、第１の入口３１を塞ぎ、第２の入口３２を開くことになる。従って、レバー３４を回動操作することにより、入口切替手段３０の開いた入口を選択的に切り替えることができる。
【００３７】
この空調システムの空気の流れを説明する。暖房時にはレバー３４を回動操作し、入口切替手段３０の第２の入口３２を塞ぎ、第１の入口３１を開いた状態を選択する。そうすると、空気導入口１２、１３、１５、１６から遊技島１内に導入された空気は両側二列に並んだパチンコ遊技機Ｐの裏面を通過することにより、パチンコ遊技機Ｐ等から発生する熱を奪い加熱された空気となり遊技島１の上部の天板１７に開けた空気導出口１８より入口切替手段３０の第１の入口３１に入り出口３３を通過し、入口連絡ダクト５２を介し空調機５０の入口５１から空調機５０に入る。この空調機５０で空調された空気は吐出口５３、出口連絡ダクト５４及び吐出しダクト５５を通り吹き出し口５６から遊技場内に吹き出される。この空気の流れは空調機に内蔵された送風機（図示省略）による。この流れにより空調機５０の暖房負荷は軽減され、空調の省エネが図られる。また吹き出し口５６を設けた吐出しダクト５５をパチンコ遊技機Ｐ列下方に施設したことにより、吹き出し口５６から遊技機Ｐの前面で遊技する遊技客に向って空調された空気を直接に吹き付けることになり効率的な空調が達成できる。
冷房時にはレバー３４を回動操作することで、回動軸３５及び羽根３６を回動させ、第１の入口３１を塞ぎ、第２の入口３２を開いた状態を選択する。この状態では、遊技島外空気を前記第２の入口３２から空調機５０に取り込むので遊技島１内の熱源の発生する熱により冷房負荷が増すことはない。
【００３８】
従って入口切替手段３０のレバー３４を回動操作することで、空調用の空気を遊技島１内を経由して取り込むか、遊技島１外から直接取り込むかが選択可能であり、空調機５０の経済的な運転と共に空調の省エネが図れる。
また、入口切替手段３０のレバー３４を正逆回転可能なギヤードモータ等の操作機とし、遊技島外空気温度をＴｏ、遊技島１内を経由した場合の空気温度上昇をΔＴ、空調機５０の空調設定温度をＴｓとすると、
Ｔｓ≧ΔＴ＋Ｔｏ  の場合は空調用の空気を遊技島１内を経由して取り込み、それ以外の場合は遊技島１外から直接取り込むようにギヤードモータ等の操作機をセットしておけば、入口切替手段３０の開いた入口の選択を自動で操作することもできる。また、暖房時には空調用の空気を遊技島１内を経由して取り込み、冷房時には遊技島外から直接取り込むことは、入口切替手段３０のレバー３４を回動操作することで手動で行うことも、ギヤードモータ等の操作機を使用して空調機５０と連動させて自動で行うこともできる。
【００３９】
尚、本実施例では、揚送装置６を端部に設けた遊技島１を例に説明したが、遊技島１に揚送装置６を設けない、所謂全店還元方式の遊技島１の場合、揚送装置６と上部及び下部連通路７，１０が無い遊技島となる。また、パチンコ機Ｐ側方で揚送装置６寄り（中間部）を開放せず、遊技島１の遊技機設置部と揚送装置６との間を化粧板で塞ぐなどして、出口連絡ダクト５４や下部連絡通路１０を見え難くしても良い。この場合には、側板１４に開けた空気導入口１５、１６と同等の開口を揚送装置６の側板１４側と外気の接する側（図の上側や左側）に設け、導入する空気が揚送装置６を通過するようにすれば良い。また、側板１４を設けずに、遊技島１の遊技機設置部と揚送装置６を接するように配置した場合も開口については前記と同様であり、この場合には、出口連絡ダクト５４や下部連絡通路１０を揚送装置６の内部（正確には、揚送装置６の周囲の壁の内側）に配置しても良い。また、空気導入口１２、１３、１５、１６は側板１１、１４に設けなくても、パチンコ機Ｐ列前面側若しくは天板１７に設けても良い。また、スロットマシンを設置する遊技島１では、回収経路のみを設け補給経路を設けない場合や回収経路と補給経路も設けない場合があり、島端に揚送装置６がない遊技島１となる。
【実施例２】
【００４０】
図４、図５、図６及び図７により実施例２を説明する。パチンコ遊技機Ｐの表面を外側に向け横二列に並べてなる遊技島１の構造において、この遊技島1内の上部開口部１９を無孔板の天板２０で覆い、遊技島１の一端の側板（妻板）１１に空気導入口１２を設け、遊技島１の他端近傍上部の天板２０に空気導出口１８を設けた構造とした。遊技島１内の上部開口部１９を無孔板の天板２０で覆ったので、遊技島１内の熱の放散を防ぐことができる。尚、パチンコ遊技機Ｐの寸法はメーカによって若干異なるが、高さ８１０ミリ前後、幅５２０ミリ前後となっている。遊技島１はパチンコ遊技機Ｐを設置するための寸法として、若干の余裕を見て例えば高さ８１２ミリ、幅５２２ミリを確保している。そのためパチンコ遊技機Ｐの周囲には数ミリの隙間が発生する。本実施例の場合、パチンコ遊技機Ｐの周囲の隙間を塞いだほうが更に熱の放散を防ぐことができる。また、片島や壁島の場合、パチンコ遊技機Ｐを設置しない側の面を塞ぐことにより、更に熱の放散を防ぐことができる。
【００４１】
また遊技島１の一端の側板１１に空気導入口１２を設け、遊技島１の他端近傍上部の天板２０に空気導出口１８を設けたことで、導入した空気は遊技島１内の一端側の熱源から順次他端側の熱源まで移動するので、ほぼ全ての熱源から熱を吸収することが可能になる。空気導入口１２を遊技客の並ぶ遊技島の前面ではなく側板１１に設けたため比較的タバコの煙等の汚れの少ない空気を前記遊技島１に導入することができる。更に空気導入口１２の前面にエアフィルター２１を設けることもできる。エアフィルター２１の替りに屋外の新鮮な空気を導入するためのダクトを接続することもできる。また側板１１の空気導入口１２は複数設けてもよい。
【００４２】
前記実施例１と同様に空気導出口１８と入口切替手段３０の第１の入口３１とが連通接合するように、入口切替手段３０を設置する。入口切替手段３０のレバー３４を回動操作することで、第１の入口３１と第２の入口３２を切り替えることができる。尚、入口切替手段３０の第２の入口３２にはエアフィルター４１を取り付けることができる。またエアフィルター４１の替りに屋外の新鮮な空気を導入するためのダクトを接続することもできる。前記実施例１と同様に入口切替手段３０の出口３３は空調機５０の入口５１と入口連絡ダクト５２を介し連通するように空調機５０を設置し、この空調機５０の吐出口５３は出口連絡ダクト５４を介し、遊技島１のパチンコ遊技機Ｐ列の下方に施設した吐出しダクト５７に連通し、この吐出しダクト５７は各パチンコ遊技機Ｐ下方の吹き出し口５８に連通している。各パチンコ遊技機Ｐの下方に吹き出し口５８を設けたことにより空調された吹き出し空気を遊技機Ｐの前面で遊技する遊技者に吹き付けることになり直接的で効率的な空調が達成できる。この実施例２の空調システムは前述した遊技島１の構造の効果により前記実施例１の効果をより高めたものとなり、特に暖房期間の長い寒冷地において有用である。尚、側板１４に設けた穴２３、この穴２３のある側板１４の外部に設けた電動シャッター２４及び穴２３のある側板１４の内部に設けた排気換気扇２５は遊技島１内部が異常高温になった場合に遊技島１の内部の機器を保護するために強制的に遊技島１の内部の空気を排気するためのものである。
【実施例３】
【００４３】
図８、図９、図１０及び図１１により実施例３を説明する。本実施例の遊技島１の構造は前記実施例２の遊技島１の構造に、前記空気導入口１２から遊技島１外の空気を導入するように換気扇２２を前記一端の側板（妻板）１１に取り付けたものである。従って前記実施例２の遊技島１の構造の効果に加え、換気扇２２の加圧により遊技島１内をプラス圧にすることができるので各パチンコ遊技機Ｐの周囲の隙間等から遊技客のタバコの煙等の汚れた空気を遊技島１内に取り込む恐れが少ないという効果がある。尚、換気扇２２は空気導入口１２から遊技島１外の空気を導入するので遊技島１内に取り付ける場合は給気換気扇であり、遊技島１外に取り付ける場合は排気換気扇である。またある程度の圧力を発生させることが必要なので、いわゆる有圧換気扇が望ましい。
【００４４】
遊技島１の天板２０の上に入出口切替手段６０を設置し、この入出口切替手段６０は第１の入口６１、第２の入口６２と第１の出口６３、第２の出口６４とを備える。第１の入口６１は空気導出口１８と連通接合し、第２の入口６２はエアフィルター６５を介し遊技島１外と連通し、第１の出口６３は入口連絡ダクト６６を介し空調機５０の入口５１と連通し、第２の出口６４は遊技場外に通ずるダクト６７と接合している。空調機５０の吐出口５３は出口連絡ダクト５４と接合し、この出口連絡ダクト５４は長手方向（図８の左右方向）に複数の切欠き穴Ｃ１、Ｃ２、Ｃｎを開け先端を塞いだパイプ５９に接合し、このパイプ５９は遊技島１のパチンコ遊技機Ｐ列の下方に施設した吐出しダクト５７の内部に施設し、この吐出しダクト５７は各パチンコ遊技機Ｐ下方の吹き出し口５８に連通している。長手方向に複数の切欠き穴Ｃ１、Ｃ２、Ｃｎを開け先端を塞いだパイプ５９を吐出しダクト５７内部に施設したことにより、この吐出しダクト５７内部の長手方向の圧力変動が緩和され、各パチンコ遊技機下方の吹き出し口５８から各遊技客に向って吹き出すエアー量の変動が緩和される。
【００４５】
入出口切替手段６０の構造及び作用を説明する。レバー６９と回動軸７０とは固定され、この回動軸７０と羽根７１、７２、７３とは固定されている。レバー６９を回動操作して図１１に示すように、羽根７１が当て板７４に当接し、羽根７２が当て板７６に当接し、羽根７３が当て板７７に当接する状態を選択すると、第２の入口６２及び第２の出口６４を塞ぎ、第１の入口６１と第１の出口６３とが連通する。次にこの状態からレバー６９を回動操作することにより、回動軸７０及び羽根７１、７２、７３を回動させ、羽根７１が当て板７７に当接し、羽根７２が当て板７５に当接する状態を選択すると、第１の入口６１と第２の出口６４とが連通し、第２の入口６２と第１の出口６３とが連通する。入出口切替手段６０の第１の出口６３は空調機５０の入口５１と連通しているので、レバー６９を回動操作することにより、空調機５０に連通する入出口切替手段６０の入口が選択可能である。従って、空調機５０の空気の取り入れを第１の入口６１にするか第２の入口６２にするかを選択可能であって、更に第２の入口６２を選択した場合には第１の入口６１は第２の出口６４と連通する。
【００４６】
この空調システムの空気の流れを説明する。暖房時には入出口切替手段６０の第１の入口６１と第１の出口６３とが連通する状態にする。この状態にすると、エアフィルター２１を通過して空気導入口１２から遊技島１内に導入された空気は換気扇２２により加圧され、両側二列に並んだパチンコ遊技機Ｐの裏面を通過することにより、パチンコ遊技機Ｐ等から発生する熱を奪い加熱された空気となり、遊技島１の上部の天板２０に開けた空気導出口１８より入出口切替手段６０の第１の入口６１に入り第１の出口６３を通過し、入口連絡ダクト６６を介し空調機５０の入口５１からこの空調機５０に入る。この空調機５０で空調された空気は吐出口５３、出口連絡ダクト５４を通過し、長手方向に複数の切欠き穴Ｃ１、Ｃ２、Ｃｎを開けたパイプ５９に入り、複数の切欠き穴Ｃ１、Ｃ２、Ｃｎから出て吐出しダクト５７に入り、各パチンコ遊技機Ｐ下方の吹き出し口５８からから遊技場内に吹き出される。この流れにより空調機５０の暖房負荷は軽減され、省エネが図られる。尚エアフィルター２１の替りに屋外に導通するダクトを接続し、屋外の新鮮な空気を導入することもできる。
【００４７】
冷房時にはレバー６９を回動操作することで、入出口切替手段６０の第１の出口６３と第２入口６２とが連通する状態にする。この状態を選択した場合には第１の入口６１は第２の出口６４と連通する。空調機５０は第２の入口６２からエアフィルター６５を介して遊技島１外の空気を取り込むので遊技島１内の熱源の発生する熱により空調機５０の冷房負荷が増すことはない。一方、第１の入口６１は第２の出口６４と連通するので、空気導入口１２から遊技島１内に導入された空気は換気扇２２により加圧され、両側二列に並んだパチンコ遊技機Ｐの裏面を通過することにより、パチンコ遊技機Ｐ等から発生する熱を奪い加熱された空気となり遊技島１の上部の天板２０に開けた空気導出口１８より入出口切替手段６０の第１の入口６１に入り第２の出口６４から出て遊技場外に通じるダクト６７により遊技場外に排出される。遊技島１内を経由した加熱された空気を遊技場外に排出するので遊技場内の冷房負荷が減少し省エネが図れる。尚、エアフィルター６５の替りに屋外に導通するダクトを接続し、屋外の新鮮な空気を導入することもできる。
本実施例は上述した通り暖房時及び冷房時においても空調負荷が軽減される遊技場の省エネ空調システムである。
【００４８】
上述した通り、入出口切替手段６０のレバー６９を回動操作することで、空調用の空気を遊技島１内を経由して取り込むか、遊技島１外から直接取り込むかが選択可能であり、更に遊技島外から直接取り込む場合には遊技島１内を経由する空気を遊技場外に排出可能としたので、これらの選択により空調機５０の経済的な運転と共に遊技場内の空調の省エネが図れる。
また、入口切替手段６０のレバー６９を正逆回転可能なギヤードモータ等の操作機とし、遊技島外空気温度をＴｏ、遊技島１内を経由した場合の空気温度上昇をΔＴ、空調機５０の空調設定温度をＴｓとすると、
Ｔｓ≧ΔＴ＋Ｔｏ  の場合は空調用の空気を遊技島１内を経由して取り込み、それ以外の場合は遊技島１外から直接取り込むようにギヤードモータ等の操作機をセットしておけば、自動で操作することもできる。また、暖房時には空調用の空気を遊技島１内を経由して取り込み、冷房時には遊技島外から直接取り込むことは、入出口切替手段６０のレバー６９を回動操作することで手動で行うことも、ギヤードモータ等の操作機を使用して空調機５０と連動させて自動で行うこともできる。尚、本実施例では、側板１４に開口を設けてないため、中間部（パチンコ機Ｐ側方、揚送装置６寄り）を開放せず、遊技島１の遊技機設置部と揚送装置６との間を化粧板で塞ぐなどして、出口連絡ダクト５４や下部連絡通路１０を見え難くしても良い。また、側板１４に穴２３の開口を設け、化粧板で塞ぐなどした場合には、揚送装置６の側板１４側と外気の接する側（図の上側や左側）に開口を設け、排気する空気が揚送装置６を通過するようにすれば良い。また、側板１４を設けずに、遊技島１の遊技機設置部と揚送装置６を接するように配置した場合も開口については前記と同様であり、この場合には、出口連絡ダクト５４や下部連絡通路１０を揚送装置６の内部（正確には、揚送装置６の周囲の壁の内側）に配置しても良い。
【実施例４】
【００４９】
図１２により実施例４を説明する。パチンコ遊技機Ｐ下方で膳板９の上方にある吹き出し口５８にシャッター８０を取り付けたことを特徴とする空調システムである。シャッター８０は軸８１を中心にして羽根８２が回動するものである。
このシャッター８０の羽根８２の開度を遊技客が指で調整することにより、空調風量を調節でき遊技者の快適状態の個人差に対応できる。
【００５０】
ところで、上記各実施例では、遊技機として遊技球の補給が必要なパチンコ機を例に説明したが、パチンコ機は封入式でもよく、封入式パチンコ機であれば、遊技島に補給経路や回収経路がなくても良い。また、じゃん球遊技機やアレンジボール遊技機などでも良い。また、揚送装置を端部に設けた遊技島を例に説明したが、遊技島の中央に揚送装置を設けても良い。また、遊技媒体として遊技球を例に説明したが、遊技メダルでも良い。
【符号の説明】
【００５１】
１    遊技島
２    送気用ダクト
３    吹き出し口
４    吸気用ダクト
５    吸い込み口
６    揚送装置
７    上部連通路
８    補給樋
９    膳板 
１０  下部連通路
１２  空気導入口
１７  天板
１８  空気導出口
２０  無孔板の天板
２２  換気扇
３０  入口切替手段
５０  空調機
６０  入出口切替手段
８０  シャッター
Ｐ    遊技機
【図１】
2013192655.tif 000003
【図２】
2013192655.tif 000004
【図３】
2013192655.tif 000005
【図４】
2013192655.tif 000006
【図５】
2013192655.tif 000007
【図６】
2013192655.tif 000008
【図７】
2013192655.tif 000009
【図８】
2013192655.tif 000010
【図９】
2013192655.tif 000011
【図１０】
2013192655.tif 000012
【図１１】
2013192655.tif 000013
【図１２】
2013192655.tif 000014